(57)【特許請求の範囲】
【請求項１】
義歯または天然歯の表面に凹部を形成し、この凹部と整合する形状を成す薄板形状のセラミック審美プレートであってその裏面に形成された凹部内に本人に関する情報を書込んだ半導体ベアチップからなるＩＣチップが埋設されたものを前記義歯または天然歯の表面に形成された前記凹部に前記裏面を当該凹部の底面に向けて装着して接合し、前記ＩＣチップに書込まれた前記本人に関する情報をリーダで読出すようにした本人認証システム。
【請求項２】
前記セラミック審美プレートはポーセレンラミネートプレートまたはジルコニアラミネートプレートである請求項１に記載の本人認証システム。
【請求項３】
前記義歯または天然歯の表面に形成された前記凹部の深さは０．７〜１ｍｍ、前記セラミック審美プレートの前記裏面に形成された前記凹部の深さは０．５〜０．７ｍｍである請求項１または２に記載の本人認証システム。
【請求項４】
義歯または天然歯の表面に凹部を形成し、この凹部と整合する形状を成す薄板形状のセラミック審美プレートであってその裏面に形成された凹部内に本人に関する情報を書込んだ半導体ベアチップからなるＩＣチップが埋設されたものを前記義歯または天然歯の表面に形成された前記凹部に前記裏面を当該凹部の底面に向けて装着して接合し、前記ＩＣチップに対してリーダでアクセスし、前記リーダによって前記本人に関する情報を読出すようにした本人認証方法。
【請求項５】
前記セラミック審美プレートはポーセレンラミネートプレートまたはジルコニアラミネートプレートである請求項４に記載の本人認証方法。
【請求項６】
前記義歯または天然歯の表面に形成された前記凹部の深さは０．７〜１ｍｍ、前記セラミック審美プレートの前記裏面に形成された前記凹部の深さは０．５〜０．７ｍｍである請求項４または５に記載の本人認証方法。
【発明の詳細な説明】
【技術分野】
【０００１】
本発明は本人認証システムおよび本人認証方法に係り、とくに本人の歯に埋設されたＩＣチップを用いた本人認証システムおよび本人認証方法に関する。
【背景技術】
【０００２】
阪神淡路大震災や東日本大震災等のような多くの犠牲者を生ずる災害が発生している。これらの災害の犠牲者の遺体が見つかった場合に、その遺体が誰であるかを特定しなければならない。従来はこのような特定のために、歯科医による歯形や歯科治療痕などから判定するようにしていた。そしてこのような判定に基づいて遺体が遺族に引渡されている。
【０００３】
また高齢者であって認知症を患った人が徘徊し、保護された場合に、その人が誰であるかが特定できない場合がある。所持品等から誰であるかが分れば、家族等に連絡することも可能であるが、それが叶わない場合には、たまたま受入れた施設で誰か分らない状態で過ごしていることがある。また脳梗塞等で倒れ、どこの誰か分らないまま入院している人や、各市町村で保護されている人が増え、その費用負担は年々増加している。このような認知症患者や脳梗塞で倒れた人等については、その人の本人認証を行なって誰であるかを特定するシステムは、行政が取組むべき重要な課題である。またこのようなシステムを構築することは、人道上の急務である。
【先行技術文献】
【特許文献】
【０００４】
【特許文献１】特開２０１４−１０３６８３号公報
【特許文献２】特開２０１３−１４３１２３号公報
【特許文献３】特開２００９−６４２９４９号公報
【発明の概要】
【発明が解決しようとする課題】
【０００５】
本願発明の課題は、地震等の震災で亡くなった人の遺体から、その人の本人認証を行なって誰であるかを確認することができるようにした本人認証システムおよび本人認証方法を提供することである。
【０００６】
本願発明の別の課題は、認知症で保護されたものの、その人が誰であるかが分らない場合や、脳梗塞で倒れたまま入院している場合に、その人が誰であるかが特定できる本人認証システムおよび本人認証方法を提供することである。
【０００７】
本願発明のさらに別の課題は、簡潔な方法によってしかも確実に本人認証を行ない得るようにした本人認証システムおよび本人認証方法を提供することである。
【０００８】
本願発明の上記の課題および別の課題は、以下に述べる本願発明の技術的思想、およびその実施の形態によって明らかにされる。
【課題を解決するための手段】
【０００９】
本願の主要な発明は、義歯または天然歯に本人に関する情報を書込んだＩＣチップを埋設し、前記本人に関する情報をリーダで読出すようにした本人認証システムに関するものである。
【００１０】
ここで、前記前記ＩＣチップがセラミック審美プレートの歯と接する面に形成された凹部内に埋設されるとともに、前記セラミック審美プレートが義歯または天然歯の表面に接合されてよい。また前記ＩＣチップが義歯の人工歯肉の中に埋設されてよい。また前記ＩＣチップがインプラントの義歯の中に埋設されてよい。
【００１１】
本願の別の主要な発明は、本人に関する情報を書込んだＩＣチップを義歯または天然歯に埋設し、前記ＩＣチップに対してリーダでアクセスし、前記リーダによって前記本人に関する情報を読出すようにした本人認証方法に関するものである。この発明で、ＩＣチップに対する情報の書込みは、ＩＣチップを義歯または天然歯に埋設する前でも埋設した後でもよい。
【００１２】
ここで、前記本人に関する情報が、氏名、生年月日、住所、連絡先、血液型、病歴、アレルギー物質、歯科治療の履歴、歯の写真の内の１つまたは２つ以上であってよい。
【発明の効果】
【００１３】
本願の主要な発明は、義歯または天然歯に本人に関する情報を書込んだＩＣチップを埋設し、前記本人に関する情報をリーダで読出すようにしたものである。
【００１４】
従ってこのような本人認証システムによると、ＩＣチップに書込まれている内容からリーダを用いて容易に本人に関する情報を取出し、これによって本人の認証を行なうことが可能になる。
【図面の簡単な説明】
【００１５】
【図１】ポーセレンラミネートプレートの凹部にＩＣチップを取付ける工程を示す流れ図である。
【図２】ポーセレンラミネートプレートの凹部に埋設されたＩＣチップを用いた読出し装置のシステム構成を示すブロック図である。
【図３】義歯の人工歯肉の中にＩＣチップが埋設された義歯の外観斜視図である。
【図４】インプラント義歯の側面にＩＣチップが埋設されたインプラント義歯の要部斜視図である。
【発明を実施するための形態】
【００１６】
以下本願発明を図示の実施の形態によって説明する。図１および図２に示す実施の形態は、セラミック審美プレートの一種であるポーセレンラミネートプレートを利用してＩＣチップを埋設した本人認証システムに関するものである。すなわちここでは、義歯または天然歯から成る歯の前面側の外表面にポーセレンラミネートプレートを接合する際に、このポーセレンラミネートプレートを用いて前歯の内部にＩＣチップを埋設しようとするものである。
【００１７】
以下これを図１および図２によって説明すると、歯科治療によって義歯または天然歯から成る前歯１０の前面に浅い凹部１１を形成する。凹部１１はその厚さが０．７〜１ｍｍ程度の非常に浅い凹部である。このような凹部１１を形成した前歯１０をシリコンゴムあるいはアルギン酸（寒天）を利用して型取りを行なう。そして型を利用して前歯１０と同一形状の石膏型１２を作成する。石膏型１２は図１に示すように、その前面側に矩形の凹部１３を備えている。この凹部１３が前歯１０に形成された凹部１１と同一の形状になっている。そして意図的に、突起１４を石膏型１２の凹部１３の所定の位置に形成する。突起１４は、後からＩＣチップを埋設するための凹部を形成するためのものである。そして石膏型１２の凹部１３にポーセレンパウダーと樹脂液を充填し、焼成を行なう。これによって、石膏型１２の凹部１３と対応する薄板形状のポーセレンラミネートプレート１８が形成される。
【００１８】
ポーセレンラミネートプレート１８は上記前歯１０の凹部１１と整合する形状を成すとともに、その裏面には上記突起１４によって凹部１９が形成される。そこでこの凹部１９内にＩＣチップ２０を配し、上から液状樹脂を被せて固定する。これによってＩＣチップ２０がポーセレンラミネートプレート１８の凹部１９内に埋設されたことになる（図２参照）。そしてこの後に、図１の一番下の部位に示すように、前歯１０の凹部１１に上記ポーセレンラミネートプレート１８を装着することによって、前歯１０の前面側にポーセレンラミネートプレート１８が接合される。
【００１９】
前歯１０の前面側のポーセレンラミネートプレート１８の凹部１９に埋設されたＩＣチップ２０には、このＩＣチップ２０が装着される本人の氏名、生年月日、住所、連絡先、血液型、病歴、アレルギー物質、歯科治療の履歴、歯の写真等、本人認証を行なうのに必要な各種の書込みをすることができる。情報の書込みは、ＩＣチップ２０を歯に取付ける前でも、歯に取付けた後でもよい。図２に示すリーダ／ライタヘッド２４を用いてＩＣチップ２０にアクセスすることによって、ＩＣチップ２０に書込まれた上記の各種の情報を読出すことができ、これを検出回路２５によって取出すことが可能になる。検出回路２５で取出した情報をパソコン等の情報処理装置に供給することによって、本人の認証のための必要な各種の情報を極めて容易かつ確実に取出すことが可能になる。
【００２０】
ＩＣチップ２０は、例えば０．４×０．４×０．３ｍｍの極めて小さな寸法の直方体状の半導体ベアチップである。このようなＩＣチップ２０を、歯の審美性を上げるために歯の表面に装着されるポーセレンラミネートプレート１８の内側の０．５から０．７ｍｍの深さの窪みの中に挿入し、接着剤で固定するとともに、ポーセレンラミネートプレート１８を前歯１０に結合することによって、本人認証に必要な情報を前歯１０に保持することが可能になる。なおＩＣチップ２０を装着したポーセレンラミネートプレート１８は、義歯あるいは天然歯から成る前歯１０の口腔内側にレジンセメントによって固定することができる。レジンセメントとしては、紫外線硬化樹脂が好適に用いられる。なお前歯１０あるいはポーセレンラミネートプレート１８の表面に、ＩＣチップ２０を装着したことが判別できるように適当なマーク、例えばアンテナマーク等を施すようにしてもよい。
【００２１】
ＩＣチップ２０は、リーダ／ライタヘッド２４によってアクセス可能であって、このリーダ／ライタヘッド２４および検出回路２５を用いてＩＣチップ２０に対する書込みや読出しが行なわれることになる。ここでＩＣチップ２０に対する書込み内容は、上述の如く、氏名、生年月日、住所、連絡先、血液型、病歴、アレルギー物質、歯科治療の履歴、歯の写真等であってよく、これらの情報を任意に書込みすることができる。天災時や救急時であって本人確認の必要がある場合に限り、リーダ／ライタによって内容を確認することにより、本人に関する情報を迅速にかつ確実に取出すことが可能になる。
【００２２】
ＩＣチップ２０に対する情報の書込みおよびＩＣチップ２０からの情報の読出しに関する情報の管理は、書込み内容に関しては本人若しくは家族に承認を受けるようにし、あるいはまた成年後見人の承認を受けた上で歯科医師が専用のＩＣライタを用いて書込むようにする。また上記のＩＣチップ２０の装着は、歯科治療の行為の責任範囲内で施術することが好ましい。またＩＣチップ２０の読取器（リーダ）は、歯科医師のみが所持し、市町村長と警察の書類による申出により書込まれた情報を入手開示できるようにすることが好ましい。リーダ／ライタは、個別の認証番号を決めておき、情報元の特定（歯科医師）ができるようにすることが好ましい。
【００２３】
なお上記実施の形態においては、歯に被せられるセラミック審美プレートとして、ポーセレンラミネートプレートを用いた例を説明した。しかし、セラミック審美プレートとして、他のセラミックプレートを用いてもよく、ジルコニアラミネートプレートを用いてもよい。
【００２４】
次に別の実施の形態を図３によって説明する。この実施の形態は、複数の義歯３０から成る人工歯（入れ歯）に対するＩＣチップの埋設の例である。すなわちここでは、義歯３０は共通の人工歯肉３１上に立設されている。なお人工歯肉３１は、ＰＡ（ナイロン）、ＰＥＴ（エステル）、ＰＣ（ポリカーボネート）、ＰＰ（ポリオレフィン）等の高分子材料から作られる。そしてこのような人工歯肉３１の側面等の適当な位置に凹部３２を形成し、この凹部３２内にＩＣチップ３３を埋設すればよい。ここではＩＣチップ３３は、上記ポーセレンラミネートプレート１８に埋設されたＩＣチップ２０と同様に情報の書込みおよび読出しが行なわれてよい。
【００２５】
次にさらに別の実施の形態を図４によって説明する。この実施の形態は、インプラント義歯３５にＩＣチップを埋設する例であって、インプラント義歯３５は、アバットメント３６上に取付けられるようになっている。アバットメント３６は、外周部に雄ねじが形成されたインプラント体３７の上部に接合されており、中心部を貫通するボルト３８によってインプラント義歯３５がインプラント体３７に固定されるようになっている。
【００２６】
ここでインプラント義歯３５の側面には円形の小孔４２が形成されており、この小孔４２にＩＣチップ４３が埋設されるようになっている。なおＩＣチップ４３は小孔４２に挿入された後に液状樹脂によって固定され、上から蓋ピース４４が装着されて確実に埋設されるようになっている。
【００２７】
このような構成においても、インプラント義歯３５の側面に設けられた小孔４２内のＩＣチップ４３によって本人認証に必要な情報を読出すことができ、これによって本人認証が確実に行なわれることになる。
【００２８】
以上本願発明を図示の実施の形態によって説明したが、本願発明は上記実施の形態によって限定されることなく、本願発明の技術的思想の範囲内において各種の変更が可能である。例えば上記実施の形態は、ポーセレンラミネートプレートを利用したり、あるいはまた樹脂の人口歯肉やインプラント義歯を用いてＩＣチップを埋設するようにしているが、例えば天然歯の虫歯の部分の治療の際に、その治療部位の一部にＩＣチップを埋設し、これによって本人認証を行なうことができる。その他通常の天然歯あるいは義歯の側面に接着剤でＩＣチップを固定してもよい。ＩＣチップは非常に小さく、そのために通常の歯の側面に小さな凹部を形成するだけで、ＩＣチップを歯の所定の部位に容易に埋設することが可能になる。
【産業上の利用可能性】
【００２９】
本願発明は、亡くなった人の遺体、あるいは生存しているものの痴呆症や脳の障害等によって誰であるかが分らなくなった人の本人認証を迅速かつ確実に行なうことができる本人認証システムに応用できる。
【符号の説明】
【００３０】
１０  前歯
１１  凹部
１２  石膏型
１３  凹部
１４  突起
１８  ポーセレンラミネートプレート
１９  凹部
２０  ＩＣチップ
２４  リーダ/ライタヘッド
２５  検出回路
３０  義歯
３１  人工歯肉
３２  凹部
３３  ＩＣチップ
３５  インプラント義歯
３６  アバットメント
３７  インプラント体
３８  ボルト
４２  小孔
４３  ＩＣチップ
４４  蓋ピース
【図１】
0006542570.tif 000002
【図２】
0006542570.tif 000003
【図３】
0006542570.tif 000004
【図４】
0006542570.tif 000005